(57)【特許請求の範囲】
【請求項１】
受信された第１の静止衛星からの第１衛星信号に基づく第１衛星中間周波信号を、ミリ波帯の信号に周波数変換した第１ミリ波帯信号と、受信された第２の静止衛星からの第２衛星信号に基づく第２衛星中間周波信号を、前記ミリ波帯の信号に周波数変換した第２ミリ波帯信号とを、ビル影にあって前記第１及び第２の静止衛星から第１及び第２衛星信号が非到達のビルに、送信し、前記第１及び第２ミリ波帯信号は、それらの周波数の少なくとも一部が重複しており、かつ異なる偏波である第１送信手段と、
前記ビル影にあるビルに設けられ、前記第１送信手段から送信された前記第１及び第２ミリ波帯信号を受信して、元の前記第１及び第２衛星中間周波信号に周波数変換する第１受信手段と、
前記ビル影にあるビルに設けられ、前記第１受信手段からの第１及び第２衛星中間周波信号を、前記第１及び第２ミリ波帯信号に再変換して、前記ビル影にあるビルの高さ方向に沿って送信する第２送信手段と、
前記ビル影にあるビルの異なる位置にそれぞれ設けられ、前記第２送信手段から送信された前記第１及び第２ミリ波帯信号を受信し、元の前記第１及び第２衛星中間周波信号に周波数変換する複数の第２受信手段と、
前記ビル影にあるビルに設けられ、前記第１受信手段からの第１及び第２衛星中間周波信号のうち少なくとも一方を、前記第１及び第２ミリ波帯信号のうち対応するものに周波数変換して、別のビル影にあるビルに送信する第３送信手段とを、
具備するミリ波帯伝送システム。
【請求項２】
請求項１記載のミリ波帯伝送システムにおいて、前記第３の送信手段は、前記第１受信手段からの前記第１及び第２衛星中間周波信号を前記第１及び第２ミリ波帯信号に周波数変換して、前記ビル影にある別のビルに送信するミリ波帯伝送システム。
【請求項３】
請求項１記載のミリ波帯伝送システムにおいて、第１送信手段及び第１受信手段は、共に、異なる偏波の第１及び第２ミリ波帯信号に対して共通のアンテナを有するミリ波帯伝送システム。
【発明の詳細な説明】
【技術分野】
【０００１】
本発明は、放送衛星や通信衛星のような静止衛星から送信される衛星信号をミリ波帯に周波数変換して、伝送するミリ波帯伝送システムに関する。
【背景技術】
【０００２】
上記のようなミリ波伝送システムとしては、例えば特許文献１に開示されているものがある。特許文献の技術によれば、高層建築物の屋上に設置された第１のミリ波送信機で、下方にミリ波帯信号を送信し、高層建築物の高層階に複数の第１のミリ波帯受信機を設置して、第１のミリ波帯送信機からのミリ波帯信号を受信する。高層建築物の中層階に設置された第２のミリ波帯送信機で下方にミリ波帯信号を送信し、高層建築物の下層階に複数の第２のミリ波帯受信機を設置して、第２のミリ波帯送信機からのミリ波帯信号を受信する。第１及び第２の送信機が送信するミリ波帯信号は、高層建築物の屋上等で受信した衛星放送信号や衛星通信信号をミリ波帯に周波数変換したものである。
【先行技術文献】
【特許文献】
【０００３】
【特許文献１】特許第４２０４３８７号
【発明の概要】
【発明が解決しようとする課題】
【０００４】
特許文献１の技術では、高層建築物の各部屋にミリ波信号を伝送することが可能で、各部屋においてミリ波信号を元の衛星放送信号及び衛星通信信号に周波数変換することによって、衛星放送や衛星通信を視聴することが可能である。しかし、特許文献１の技術では、高層建築物であるので、ミリ波信号の元となる衛星放送信号や衛星通信信号を受信することが可能であるが、大きなビルの影にあって、衛星放送信号や衛星通信信号を直接に受信することができないビルでは、このビルまでミリ波信号を伝送する必要がある。
【０００５】
本発明は、ビル影にあるビルにミリ波信号を周波数を有効利用して伝送することができるミリ波伝送システムを提供することを目的とする。
【課題を解決するための手段】
【０００６】
本発明の一態様のミリ波帯伝送システムは、第１送信手段を有している。第１送信手段は、受信された第１の静止衛星からの第１衛星信号に基づく第１衛星中間周波信号を、ミリ波帯の信号に周波数変換した第１ミリ波帯信号と、受信された第２の静止衛星からの第２衛星信号に基づく第２衛星中間周波信号を、前記ミリ波帯の信号に周波数変換した第２ミリ波帯信号とを、ビル影にあって前記第１及び第２の静止衛星から第１及び第２衛星信号が非到達のビルに、送信する。前記第１及び第２ミリ波帯信号は、それらの周波数の少なくとも一部が重複している信号であって、異なる偏波である。例えば直線偏波の場合、垂直偏波と水平偏波であり、円偏波の場合、右旋円偏波と左旋円偏波とである。第１及び第２ミリ波帯信号の双方または一方には、地上テレビジョン放送信号、例えば地上デジタル放送信号をミリ波帯に周波数変換したものを含ませることもできる。前記ビル影にあるビルに、第１受信手段が設けられている。第１受信手段は、第１送信手段から送信された第１及び第２ミリ波帯信号を受信して、元の第１及び第２衛星中間周波信号に周波数変換する。前記ビル影にあるビルに第２送信手段が設けられている。第２送信手段は、第１受信手段からの第１及び第２衛星中間周波信号を、第１及び第２ミリ波帯信号に再変換して、前記ビル影にあるビルの高さ方向に沿って送信する。前記ビル影にあるビルの異なる位置に複数の第２受信手段が設けられている。各第２受信手段は、第２送信手段から送信された第１及び第２ミリ波帯信号を受信し、元の第１及び第２衛星中間周波信号に変換する。前記ビル影にあるビルに第３の送信手段が設けられている。第３送信手段は、第１受信手段からの第１及び第２衛星中間周波信号のうち少なくとも一方を、第１及び第２ミリ波帯信号のうち対応するものに周波数変換して、別のビル影にあるビルに送信する。
【０００７】
このように構成されたミリ波帯伝送システムでは、ビル影にあるビルに、第１送信手段によって第１及び第２の衛星中間周波信号を周波数変換した第１及び第２ミリ波帯信号が伝送され、第１及び第２ミリ波帯信号が第１受信手段で、元の第１及び第２の衛星放送中間周波信号に周波数変換されるので、ビル影にあるビルに第１及び第２の衛星中間周波信号を無線伝送することができる。しかも、第１及び第２ミリ波帯信号は、それらの周波数が少なくとも一部で重複している信号であって、異なる偏波のものであるので、周波数の有効利用を図ることができる。また、第１受信手段からの第１及び第２の衛星中間周波信号が第２送信手段によって、ビル影にあるビルの高さ方向に沿って送信され、これをビル影にあるビルの複数の第２受信手段が受信して、元の第１及び第２の衛星中間周波信号に周波数変換するので、ビル影にあるビルの各所で、第１及び第２の静止衛星からの衛星信号を受信することができる。この場合も、周波数が少なくとも一部で重複している異なる偏波の第１及び第２ミリ波帯信号を使用しているので、周波数の有効利用を図ることができる。さらに、第１の受信手段で受信した第１及び第２の衛星中間周波信号のうち、少なくとも一方を、第１及び第２ミリ波帯信号のうち対応するものに、第３送信手段で変換して、ビル影にある別のビルに送信しているので、ビル影にある別のビルに第３送信手段に対応する第３受信手段を設置することにより、ビル影にある別のビルでも、第１及び第２の衛星中間周波信号のうち、少なくとも一方を受信することができる。
【０００８】
第３の送信手段は、第１及び第２衛星中間周波信号を第１及び第２ミリ波帯信号に周波数変換して、ビル影にある別のビルに送信することもできる。この場合、ビル影にある別のビルでは、第１及び第２の衛星信号を両方とも受信することができる。
【０００９】
第１送信手段及び第１受信手段は、共に、異なる偏波の第１及び第２ミリ波帯信号に対して共通のアンテナを有するものとすることができる。このように構成すると、第１送信手段及び第１受信手段の構成を簡略化することができる。
【発明の効果】
【００１０】
以上のように、本発明によれば、ビル影にあるビルに対して、周波数を有効利用して、２つの静止衛星からの第１及び第２衛星信号に基づく第１及び第２衛星中間周波信号を伝送することができ、ビル影にあるビルの各所にも周波数を有効利用して、第１及び第２衛星中間周波信号を伝送することができる。
【図面の簡単な説明】
【００１１】
【図１】本発明の１実施形態のミリ波伝送システムのブロック図である。
【図２】図１のミリ波伝送システムで使用するミリ波帯信号の波形図である。
【図３】図１のミリ波伝送システムで使用される機器の配置図である。
【発明を実施するための形態】
【００１２】
本発明の一実施形態のミリ波伝送システムは、図３に示すように高層のビル２の影にあって、第１及び第２の静止衛星、例えばＢＳ／ＣＳ１１０度衛星及びＪＣＳＡＴ衛星からの第１及び第２の衛星信号やＵＨＦ帯の地上デジタルテレビジョン放送信号を直接に受信することができないビル４、６、８に、これらの信号をミリ波帯の信号に周波数変換して、無線伝送するものである。
【００１３】
ビル２のビル影になく、第１及び第２衛星信号及び地上デジタルテレビジョン放送信号を受信することができるビル１０の屋上に、ＢＳ／ＣＳ１１０度衛星からの第１衛星信号を受信するための受信アンテナ１２と、ＪＣＳＡＴ衛星からの第２衛星信号を受信するためのアンテナ１４と、地上デジタルテレビジョン放送信号を受信するためのアンテナ１６とが設置されている。受信アンテナ１２で受信された第１衛星信号は、衛星放送信号（ＢＳ）と、これとは異なる周波数帯の１１０度ＣＳ信号とからなり、図１に示すように、受信アンテナ１２に付属するコンバータ１２ｃで、第１衛星中間周波信号に周波数変換される。第１衛星中間周波信号では、衛星放送信号の中間周波信号、１１０度ＣＳ信号の中間周波信号の順の周波数配置となるように周波数変換されている。同様に受信アンテナ１４で受信された第２衛星信号は、ほぼ同一周波数帯のＪＣＳＡＴ４の垂直偏波信号及び水平偏波信号と、ほぼ同一周波数帯のＪＣＳＡＴ３の垂直偏波信号及び水平偏波信号とからなる。受信アンテナ１４に付属するコンバータ１４ｃで、第２衛星中間周波信号に周波数変換される。第２衛星放送中間周波信号では、JＣＳＡＴ４の垂直偏波信号の中間周波信号、同水平偏波信号の中間周波信号、ＪＣＳＡＴ３の垂直偏波信号の中間周波信号、同水平偏波信号の中間周波信号の順の周波数配置となるように周波数変換されている。
【００１４】
コンバータ１２ｃからの第１衛星中間周波信号は、地上デジタルテレビジョン放送信号と合成器１８によって合成され、第１送信手段、例えば第１送信機２０の水平偏波用第１送信コンバータ２２において第１ミリ波帯信号に周波数変換される。また、コンバータ１４ｃからの第２衛星中間周波信号は、第１送信機２０の垂直偏波用第１送信コンバータ２４に供給され、第２ミリ波帯信号に周波数変換される。図２に示すように、第１ミリ波帯信号は、例えば水平偏波信号であり、第２ミリ波帯信号は垂直偏波信号であり、両者の周波数帯は、ほぼ同一である。第１及び第２ミリ波帯信号はオルソモードトランスジューザ（ＯＭＴ）２６に供給され、ここで合成され、第１及び第２ミリ波帯信号に対して共通のホーンアンテナ２８によって送信される。図３に示すように、第１送信機２０は、ビル４の屋上に向けて、第１及び第２ミリ波信号を送信する。
【００１５】
ビル４の屋上には、第１受信手段、例えば第１受信機３０が配置されている。第１受信機３０は、図１に示すように、第１及び第２ミリ波帯信号を受信する共通のホーンアンテナ３２を有し、第１及び第２ミリ波帯信号は、ＯＭＴ３４によって水平偏波の第１ミリ波帯信号と垂直偏波の第２ミリ波帯信号とに分離され、第１ミリ波帯信号は水平偏波用第１受信コンバータ３６に、第２ミリ波帯信号は垂直偏波用第１受信コンバータ３８に供給される。水平偏波用第１受信コンバータ３６は、第１ミリ波帯信号を、元の地上デジタルテレビジョン放送信号と、第１衛星中間周波信号とに、周波数変換する。同様に垂直偏波用第１受信コンバータ３８は、第２ミリ波帯信号を第２衛星中間周波信号に周波数変換する。このようにビル１０、４間の伝送には、同一周波数帯で異なる偏波の第１及び第２ミリ波帯信号を無線伝送しているので、ケーブル等の敷設の必要が無く、しかも周波数の有効利用を図ることができる。
【００１６】
水平偏波用第１受信コンバータ３６からの元の地上デジタルテレビジョン放送信号及び第１衛星中間周波信号は、分配器４０によって分配され、その１つの分配出力は、第２送信手段、例えば第２送信機４２の水平偏波用第２送信コンバータ４４に供給され、再び第１ミリ波帯信号に周波数変換される。同様に垂直偏波用第１受信コンバータ３８からの第２衛星中間周波信号は、分配器４６によって分配され、その１つの分配出力は、第２送信機４２の垂直偏波用第２送信コンバータ４８に供給され、第２ミリ波帯信号に周波数変換される。水平偏波用及び垂直偏波用第２送信コンバータ４４、４８は、それぞれ送信アンテナとして電波レンズアンテナ５０、５２を有し、電波レンズアンテナ５０から水平偏波の第１ミリ波帯信号が送信され、電波レンズアンテナ５２から垂直偏波の第２ミリ波帯信号が送信される。
【００１７】
図３に示すように、水平偏波及び垂直偏波用第２送信コンバータ４４、４８は、ビル４の屋上に、電波レンズアンテナ５０、５２が地上を向くように配置され、第１及び第２ミリ波帯信号をビル４の各部屋に向けて送信している。なお、電波レンズアンテナ５０、５２を使用しているのは、ビーム幅が広く、ビル４の各部屋に第１及び第２ミリ波帯信号を伝送することが可能であるからである。
【００１８】
ビル４の各階の各部屋の窓際またはベランダには、第２受信手段、例えば第２受信機５３の第１ミリ波帯信号を受信するための水平偏波用第２受信コンバータ５４が設置されている。これら水平偏波用第２受信コンバータ５４も、受信アンテナとして電波レンズアンテナ５６を備えている。同じく、ビル４の各階の各部屋の窓際またはベランダには、第２受信機５３の第２ミリ波帯信号を受信するための垂直偏波用第２受信コンバータ５８が設置されている。これら水平偏波用第２受信コンバータ５８も、受信アンテナとして電波レンズアンテナ６０を備えている。
【００１９】
水平偏波用第２受信コンバータ５４は、第１ミリ波帯信号を受信し、元の地上デジタルテレビジョン放送信号と第１衛星中間周波信号に周波数変換し、垂直偏波用第２受信コンバータ５８は、第２ミリ波帯信号を元の第２衛星中間周波信号に周波数変換する。これら周波数変換された地上デジタルテレビジョン放送信号、第１及び第２衛星中間周波信号は、各部屋のテレビジョン受信機に供給され、ここで、地上デジタルテレビジョン放送や、衛星放送、衛星通信が視聴される。ケーブルを使用せず、同一周波数帯の異なる偏波の第１及び第２ミリ波帯信号を無線伝送して、ビル４内での伝送を行っているので、ケーブルの敷設が不要で、かつ周波数の有効利用が行える。
【００２０】
分配器４０から分配された地上デジタルテレビジョン放送信号と第１衛星中間周波信号とは、第３送信手段、例えば第３送信機６２の水平偏波用第３送信コンバータ６４に供給され、水平偏波の第１ミリ波帯信号に周波数変換される。分配器４６から分配された第２衛星中間周波信号は、第３送信機６２の垂直偏波用第３送信コンバータ６６に供給され、垂直偏波の第２ミリ波帯信号に周波数変換される。周波数変換された第１及び第２ミリ波帯信号は、ＯＭＴ６８によって合成され、第１及び第２ミリ波帯信号に対して共通のホーンアンテナ７０によって送信される。図３に示すように、第３送信機６２は、ビル６の屋上に向けて送信するように配置されている。
【００２１】
ビル６の屋上には、第３受信手段、例えば第３受信機６４が設置されている。第３受信機６４は、第１受信機３０と同一構成であり、これによって受信された第１及び第２ミリ波帯信号は、元の地上デジタルテレビジョン放送信号及び第１衛星中間周波信号と、第２衛星中間周波信号とに周波数変換される。これらは、第４送信手段、例えば第４送信機６６に供給される。第４送信機６６は、第２送信機４２の水平偏波用及び垂直偏波用第２送信コンバータ４４、４８と同一構成の水平及び垂直偏波用第４送信コンバータ６８、７０を有し、地上デジタルテレビジョン放送信号及び第１衛星中間周波信号と、第２衛星中間周波信号を、第１及び第２ミリ波帯信号に周波数変換する。水平及び垂直偏波用第４送信コンバータ６８、７０は、電波レンズアンテナ１０６、１０８を有し、水平偏波用及び垂直偏波用第２送信コンバータ４４、４８と同様に、地上に向けて第１及び第２ミリ波帯信号を送信するように屋上に設置されている。そして、ビル６の各階の各部屋の窓際またはベランダには、第４受信手段、例えば、第４受信機７２の水平偏波用及び垂直偏波用第４受信コンバータ７４、７６が設置されている。水平偏波用及び垂直偏波用第４受信コンバータ７４、７６は、水平偏波及び垂直偏波用第２受信コンバータ５４、５８と同一構成のもので、それぞれ電波レンズアンテナ７８、８０を有している。従って、ビル６においても、地上デジタルテレビジョン放送信号、第１及び第２衛星中間周波信号が、各部屋のテレビジョン受信機に供給される。
【００２２】
また、図１に示すように、分配器４０から分配された地上デジタルテレビジョン放送信号及び第１衛星中間周波信号は、別の第３送信機８２の別の水平偏波用第３送信コンバータ８４に供給され、第１ミリ波帯信号に周波数変換され、ホーンアンテナ８６から送信される。図３に示すように、この別の第３送信機８２は、地上デジタルテレビジョン放送とＢＳ／ＣＳ１１０度衛星からの放送のみの受信の必要のあるビル８の屋上に向けて、第１ミリ波帯信号を送信する。
【００２３】
ビル８の屋上には、別の第３受信機８８が、別の第３送信機８２からの第１ミリ波帯信号を受信するように配置されている。別の第３受信機８８は、第１受信機３０のホーンアンテナ３２と同一構成のホーンアンテナ９０と、水平偏波用第１受信機３０の水平偏波用第１受信コンバータ３６と同一構成の水平偏波用第３受信コンバータ９２とを有し、第１ミリ波帯信号を地上デジタルテレビジョン放送信号と第１衛星中間周波信号とに周波数変換する。これら地上デジタルテレビジョン放送信号と第１衛星中間周波信号とは、別の第４送信機９４に供給される。別の第４送信機９４は、第２送信機４２の水平偏波用第２送信コンバータ４４と同一構成の水平偏波用別の第４送信コンバータ９６を有し、地上デジタルテレビジョン放送信号と第１衛星中間周波信号とを第１ミリ波帯信号に周波数変換し、電波レンズアンテナ９８から送信する。別の第４送信機９４は、ビル８の屋上から地上側に向けて第１ミリ波帯信号を送信する。ビル８の各階の各部屋の窓際またはベランダには、別の第４受信機１００の水平偏波用第４受信コンバータ１０２が設置されている。水平偏波用第４受信コンバータ１０２は、水平偏波用第２受信コンバータ５４と同一構成のもので、電波レンズアンテナ１０４を有している。従って、ビル８においても、地上デジタルテレビジョン放送信号、第１衛星中間周波信号が、各部屋のテレビジョン受信機に供給される。
【００２４】
上記の実施形態では、ビル１０からビル影にあるビル４に向けて第１及び第２ミリ波帯信号を無線伝送したが、ビル２から第１及び第２ミリ波帯信号を無線伝送することもできる。上記の実施形態では、地上デジタルテレビジョン放送信号も無線伝送したが、場合によっては不要である。また、上記の実施形態では、第１ミリ波帯信号のみをビル４からビル８に伝送したが、場合によっては不要であるし、ビル４からビル８に向けて第１及び第２ミリ波帯信号を伝送することもできる。
【符号の説明】
【００２５】
４  ６  ８  ビル影にあるビル
２０  第１送信機（第１送信手段）
３０  第１受信機（第１受信手段）
４２  第２送信機（第２送信手段）
５３  第２受信手段
６２  第３送信機（第３送信手段）
６４  第３受信機（第３受信手段）
【図１】
0005501711.tif 000002
【図２】
0005501711.tif 000003
【図３】
0005501711.tif 000004